【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
制御チャネルおよび複数のデータチャネルを有するマルチチャネルネットワークにおいて実行される方法であって、
コンピュータ実行可能命令によって構成されたノードの制御下で、
ブロードキャストのためのデータのビットまたはバイトの数がメッセージのビットまたはバイトの数より大きいという判定がなされた後、前記メッセージを前記制御チャネル上で送信または受信することであって、前記メッセージは、（ｉ）前記複数のデータチャネルのうちの特定のデータチャネル上で前記データがブロードキャストされること、および（ｉｉ）前記ブロードキャストの変調技術を示す、ことと、
前記送信された、または受信されたメッセージに少なくとも部分的に基づいて、前記特定のデータチャネルに切り換えることと、
前記変調技術に少なくとも部分的に基づいて、前記特定のデータチャネル上で、前記データをブロードキャストし、または前記データのブロードキャストをリッスンすることと、
前記データがブロードキャストされた、または所定の期間が終了した後に、前記制御チャネルに切り換えることと
を備える方法。
【請求項２】
前記データをブロードキャストするための前記特定のデータチャネル、前記変調技術、およびデータレートを判定することと、
前記データのビットまたはバイトの数が、前記メッセージのビットまたはバイトの数より大きいことを判定することと
をさらに備え、
前記メッセージは、前記データが、前記判定された特定のデータチャネル上で、前記判定された変調技術を用いて、かつ前記判定されたデータレートにて、ブロードキャストされることを示す、請求項１の方法。
【請求項３】
前記特定のデータチャネルを判定することは、前記ノードと所定の近さ以内にある他のノードの能力に少なくとも部分的に基づいて、前記変調技術を判定することを含む、請求項２の方法。
【請求項４】
前記判定された変調技術は、前記ノードと所定の近さ以内にある他のノードに利用可能な複数の変調技術の中で、最も長い通信距離をもたらす変調技術を備える、請求項２の方法。
【請求項５】
前記変調技術を用いて前記データをブロードキャストすることを要求するコマンドを、前記ノードの媒体アクセス制御サブレイヤにて、かつ前記ノードの別のレイヤから受信することをさらに備え、
前記メッセージ内に示される前記変調技術は、前記コマンドにおいて識別された前記変調技術を備える、請求項１の方法。
【請求項６】
前記メッセージを送信または受信することは、前記制御チャネル上で前記メッセージを送信することを含み、
前記データをブロードキャストし、または前記データのブロードキャストをリッスンすることは、前記特定のデータチャネル上で前記データをブロードキャストすることを含む、請求項１の方法。
【請求項７】
前記メッセージを送信または受信することは、前記制御チャネル上で前記メッセージを受信することを含み、
前記データをブロードキャストし、または前記データのブロードキャストをリッスンすることは、前記特定のデータチャネル上で前記データの前記ブロードキャストをリッスンすることを含む、請求項１の方法。
【請求項８】
前記データは以前に受信されていなかったことを判定することをさらに備え、
前記特定のデータチャネルに切り換えることは、前記データが以前に受信されていなかったという判定に応答して、前記特定のデータチャネルに切り換えることを含む、請求項１の方法。
【請求項９】
前記特定のデータチャネルに切り換えた後に、前記特定のデータチャネル上で前記データを受信することをさらに備え、
前記制御チャネルに切り換えることは、前記特定のデータチャネル上で前記データを受信した後に、前記制御チャネルに切り換えることを含む、請求項１の方法。
【請求項１０】
制御チャネルおよび複数のデータチャネルを有するマルチチャネルネットワークのネットワークコンピューティング装置であって、
１または複数のプロセッサと、
前記１または複数のプロセッサに通信可能に結合されたメモリと、
前記メモリに記憶され、かつ諸動作を行うように前記１または複数のプロセッサ上で実行可能な１または複数のモジュールと
を備え、前記諸動作は、
（ｉ）データをブロードキャストするための、前記複数のデータチャネルからの特定のデータチャネル、および（ｉｉ）前記データをブロードキャストするための変調技術を判定することと、
前記データのビットまたはバイトの数がメッセージのビットまたはバイトの数より大きいということを判定することであって、前記メッセージは、前記変調技術に従って前記特定のデータチャネル上で前記データがブロードキャストされることを示す、ことと、
前記データのビットまたはバイトの数が前記メッセージのビットまたはバイトの数より大きいということを判定すると、前記制御チャネルを通じて前記メッセージを送信することと、
前記特定のデータチャネルに切り換えることと、
前記変調技術に少なくとも部分的に基づいて、前記特定のデータチャネルを通じて前記データをブロードキャストすることと、
前記データがブロードキャストされた後に、前記制御チャネルに切り換えることと
を含む、ネットワークコンピューティング装置。
【請求項１１】
前記諸動作は、
前記ネットワークコンピューティング装置の媒体アクセス制御サブレイヤより上の上位レイヤによって指定された所定の回数、前記制御チャネルを通じて前記メッセージを再送信することと、
前記メッセージの各再送信の後に、前記特定のデータチャネルを通じて前記データを再ブロードキャストすることと
をさらに含む、請求項１０のネットワークコンピューティング装置。
【請求項１２】
前記メッセージを送信することは、前記ネットワークの第１のチャネル上にある前記制御チャネルを通じて前記メッセージを送信することを含み、
前記諸動作は、
前記制御チャネルを前記ネットワークの前記第１のチャネルから、第２のチャネルに再定義することと、
前記制御チャネルが前記第２のチャネルに再定義されたときに、前記制御チャネルを通じて前記メッセージを再送信することと
をさらに含む、請求項１０のネットワークコンピューティング装置。
【請求項１３】
前記諸動作は、前記制御チャネルが前記第２のチャネルに再定義され、かつ前記メッセージが再送信された後に、前記複数のデータチャネルのうちのデータチャネルを通じて前記データを再ブロードキャストすることをさらに含む、請求項１２のネットワークコンピューティング装置。
【請求項１４】
制御チャネルおよび複数のデータチャネルを有するマルチチャネルネットワークにおいて実行される方法であって、
コンピュータ実行可能命令によって構成されたノードの制御下で、
ブロードキャストのためのデータのビットまたはバイトの数がメッセージのビットまたはバイトの数より大きいという判定がなされた後、前記メッセージを前記制御チャネル上で受信することであって、前記メッセージは、（ｉ）前記複数のデータチャネルのうちの特定のデータチャネル上で前記データがブロードキャストされること、および（ｉｉ）前記ブロードキャストの変調技術を示す、ことと、
前記メッセージが受信された後、前記特定のデータチャネルに切り換えることと、
前記変調技術に少なくとも部分的に基づいて、前記特定のデータチャネル上で前記データのブロードキャストをリッスンすることと、
前記特定のデータチャネル上で前記データを受信することと、
前記データが受信された、または所定の期間が終了した後に、前記制御チャネルに切り換えることと
を備える方法。
【請求項１５】
前記データは、隣接ノードから、前記データを受信する前記隣接ノードの可能性を示す通信を受信せずに、前記特定のデータチャネルを通じてブロードキャストされる、請求項１０のネットワークコンピューティング装置。
【請求項１６】
１または複数のプロセッサによって実行される時、前記１または複数のプロセッサに請求項１の方法を実行させるコンピュータ実行可能命令を格納する、１または複数の非一時的なコンピュータ可読媒体。
【請求項１７】
前記データをブロードキャストし、または前記データのブロードキャストをリッスンすることは、前記メッセージが前記制御チャネル上で送信され、または受信されて以来、所定の期間が終了した後、前記データをブロードキャストし、または前記データのブロードキャストをリッスンすることを含み、前記所定の期間は短フレーム間隔を備える、請求項１の方法。
【請求項１８】
前記データは、電気、水またはガスの少なくとも１つの消費に関連付けられている、請求項１の方法。
【請求項１９】
前記データをブロードキャストし、または前記データのブロードキャストをリッスンすることは、前記特定のデータチャネル上で前記データをブロードキャストすることを含み、前記データは、隣接ノードから、前記データを受信する前記隣接ノードの可能性を示す通信を受信せずに、前記特定のデータチャネルを通じてブロードキャストされる、請求項１の方法。
【請求項２０】
１または複数のプロセッサによって実行される時、前記１または複数のプロセッサに請求項１４の方法を実行させるコンピュータ実行可能命令を格納する、１または複数の非一時的なコンピュータ可読媒体。